(57)【要約】【課題】  薄板である棚板上でも引き出すことが出来、意匠性に優れ使い勝手の向上した棚を備えた冷蔵庫を得る。【解決手段】  冷蔵庫本体の上部に設けられた冷蔵室２と、冷蔵庫本体１の左側部にヒンジを有する左冷蔵室扉２ｂと、冷蔵庫本体の右側部にヒンジを有する右冷蔵室扉２ａと、前記冷蔵室２内に収納物を載置する棚板が複数設けられた冷蔵庫において、前記冷蔵室２の最も下方に設けられた前記棚板１０ｃは前記左冷蔵室扉２ｂの幅の範囲に段部１０ｃ−１を有し、該段部１０ｃ−１に前後方向に移動する引き出し棚１８が設けられ、該引き出し棚１８の上面は前記棚板１０ｃ−１の上面付近に位置し、前記引き出し棚１８は該引き出し棚の前部が前記棚板１０ｃ−１の前部付近まで移動することを特徴とする。【選択図】図４
2010038497.tif 000002
【特許請求の範囲】
【請求項１】
冷蔵庫本体の上部に設けられた冷蔵室と、冷蔵庫本体の左側部にヒンジを有する左冷蔵室扉と、冷蔵庫本体の右側部にヒンジを有する右冷蔵室扉と、前記冷蔵室内に収納物を載置する棚板が複数設けられた冷蔵庫において、
前記冷蔵室の最も下方に設けられた前記棚板は前記左冷蔵室扉の幅の範囲に段部を有し、該段部に前後方向に移動する引き出し棚が設けられ、該引き出し棚の上面は前記棚板の上面付近に位置し、前記引き出し棚は該引き出し棚の前部が前記棚板の前部付近まで移動することを特徴とする冷蔵庫。
【請求項２】
請求項１において、前記引き出し扉の側方に設けられたガイドレールと、前記引き出し棚の側部に設けられ前記ガイドレールに案内されるガイドと、前記棚板の段部の前方に設けられ下方に傾斜する傾斜面とを有することを特徴とする冷蔵庫。
【請求項３】
請求項２において、前記左冷蔵室扉の後方であって前記引き出し棚の下方に貯水タンクと収納ケースとが並べて設けられ、該貯水タンクと該収納ケースとを仕切る仕切部材が前記棚板の前記段部の中央付近に設けられたことを特徴とする冷蔵庫。
【発明の詳細な説明】
【技術分野】
【０００１】
本発明は冷蔵庫に関するものである。
【背景技術】
【０００２】
従来の冷蔵庫として、特許文献１には、貯蔵室内に区画形成された収納空間の底面部に引き出し可能に容器が設置され、この容器の底部下方に奥行き方向に形成された摺動ガイド部と、このガイド部に係合するように底面部に設けたレール部とを有し、摺動ガイド部とレール部とを凹凸機構で係合することにより左右への移動を規制して容器を前後摺動するようにしたことが記載されている。
【０００３】
【特許文献１】特開２００５−６９６０１号公報
【発明の開示】
【発明が解決しようとする課題】
【０００４】
しかしながら、上記特許文献１に記載の容器を薄板である棚板上に設けると、棚板は貯蔵室の全幅に設けられた薄板であることから、棚板上に食品等を収納させると棚板がたわみ、ガイドとレールの寸法に誤差が生じ、円滑な引き出し動作が損なわれるという課題があった。また、棚板は貯蔵室の全幅に設けられており、棚板そのものを引き出す構成では、使用者に不便である。
【０００５】
そこで、本発明の目的は、薄板である棚板上でも引き出すことが出来、意匠性に優れ使い勝手の向上した棚を備えた冷蔵庫を得ることである。
【課題を解決するための手段】
【０００６】
上記目的を達成するために、冷蔵庫本体の上部に設けられた冷蔵室と、冷蔵庫本体の左側部にヒンジを有する左冷蔵室扉と、冷蔵庫本体の右側部にヒンジを有する右冷蔵室扉と、前記冷蔵室内に収納物を載置する棚板が複数設けられた冷蔵庫において、前記冷蔵室の最も下方に設けられた前記棚板は前記左冷蔵室扉の幅の範囲に段部を有し、該段部に前後方向に移動する引き出し棚が設けられ、該引き出し棚の上面は前記棚板の上面付近に位置し、前記引き出し棚は該引き出し棚の前部が前記棚板の前部付近まで移動することを特徴とする。
【０００７】
また、前記引き出し扉の側方に設けられたガイドレールと、前記引き出し棚の側部に設けられ前記ガイドレールに案内されるガイドと、前記棚板の段部の前方に設けられ下方に傾斜する傾斜面とを有することを特徴とする。
【０００８】
また、前記左冷蔵室扉の後方であって前記引き出し棚の下方に貯水タンクと収納ケースとが並べて設けられ、該貯水タンクと該収納ケースとを仕切る仕切部材が前記棚板の前記段部の中央付近に設けられたことを特徴とする。
【発明の効果】
【０００９】
本発明は以上説明した如き構成を有するものであるから、薄板である棚板上でも引き出すことが出来、意匠性に優れ使い勝手の向上した棚を備えた冷蔵庫を得ることである。
【発明を実施するための最良の形態】
【００１０】
以下本発明の実施形態について、図に基づいて説明する。図１は、本発明を備えた冷蔵庫の正面図である。図２は、図１に示す冷蔵庫の冷蔵室扉を開いた冷蔵庫の正面図である。
【００１１】
１は、冷蔵庫本体である。この冷蔵庫本体１は、上から順に冷蔵室２，左右に配置された製氷室３ａと急冷凍室３ｂ，冷凍室４、及び野菜室５を備えている。２ａ，２ｂは、冷蔵室２の前面開口を閉塞する右冷蔵室扉と左冷蔵室扉である。この右冷蔵室扉２ａ，左冷蔵室扉２ｂは、上ヒンジ６，６と下ヒンジ７，７によって冷蔵庫本体１に設けられた、回転式の扉である。また、右冷蔵室扉２ａ，左冷蔵室扉２ｂは、冷蔵室２の開口を左右２枚の扉で閉塞する構成である。そのため、一方の扉、例えば左冷蔵室扉２ｂの反ヒンジ側に回転仕切り（図示せず）を備えている。これにより、右冷蔵室扉２ａ，左冷蔵室扉２ｂが冷蔵室２の開口を閉じた場合、右冷蔵室扉２ａの反ヒンジ側と左冷蔵室扉２ｂの反ヒンジ側との間に隙間が生じることを防止して、冷気漏れを防ぐことが出来る。８，９は、急冷凍室３ａ，製氷室３ｂに夫々設けられた引き出し式の扉である。４ａは、冷凍室４に設けられた引き出し式の扉である。５ａは、野菜室５に設けられた引き出し式の扉である。２ｃは、冷蔵室２と、その下方の急冷凍室３ａ及び製氷室３ｂとの間を仕切る仕切壁である。
【００１２】
冷蔵室２内には、複数の棚板１０ａ，１０ｂ，１０ｃが設けられている。１１は、冷蔵室２の最下部に設けられた貯蔵空間である。すなわち、貯蔵空間１１は、最下段の棚板１０ｃと仕切壁２ｃとで上下が区画された空間である。この貯蔵空間１１には、貯水タンク１２、卵やデザート等を収納する収納ケース１３が設けられている。また、１４は、チルド室である。このチルド室１４は約０.８気圧の真空環境を実現し、栄養素の酸化を抑制し、食品の変質を防ぐものである。
【００１３】
１５は、最下段の棚板１０ｃと、その上に設けられた棚板１０ｂとで上下が区画された貯蔵空間である。また、貯蔵空間１５は、側板１６，１７によって左右が区画されている。この貯蔵空間１５は、左冷蔵室扉２ｂの幅の範囲で設けられている。
【００１４】
なお、棚板１０ｂは、棚板１０ｂ−２と棚板１０ｂ−１で構成され、互いに棚上面の高さ位置が一致するように冷蔵室２内に設置されている。すなわち、貯蔵空間１５は、棚板１０ｂ−１，棚板１０ｃ、および棚板１０ｂ−１の両側に設けられた側板１６，１７が外郭を形成して構成されている。
【００１５】
１８は、前方に引き出すことが出来る引き出し棚である。引き出し棚１８は、側板１６，１７に設けられたレール（図示せず）に懸架され、引き出し棚１８の底面１８ａが、棚板１０ｃの段部１０ｃ−１との間に隙間Ｐを作るよう設けられている（図７）。これにより、左冷蔵室扉２ｂを開くだけで、引き出し棚１８を引き出すことが出来る。
【００１６】
次に図３から図４に基づいて、貯蔵空間１５について説明する。図３は、図２に示す冷蔵庫の要部拡大斜視図である。図４は、図３の引き出し棚上の収納物を取り除いた状態で引き出し棚を引き出した図である。
【００１７】
通常、引き出し棚１８の位置は、一例として、３５０ccの缶入りの飲料を立てた状態で３列収納出来る高さ及び幅に作られている。また、奥行きは冷蔵室２の貯蔵空間の奥行きとほぼ同じ寸法に作られている。また、この引き出し棚１８は、棚板１０ｃ上に隙間Ｐを有し、側板１６，１７に懸架されているものである。
【００１８】
次に、引き出し棚１８と棚板１０ｃとの関係を図５から図７に基づいて説明する。図５は、図２に示す棚板の正面斜視図である。図６は、図５に示す棚板のＢ−Ｂ断面図である。図７は、図３のＡ−Ａ断面図である。
【００１９】
棚板１０ｃは、棚板１０ａと同様に、冷蔵室２を構成する内箱１ａの両側に設けられた係止リブ（図示せず）等を利用して懸架されている。換言すると、この棚板１０ｃの幅方向寸法Ｗは、内箱１ａの幅寸法とほぼ同じである。また、奥行き寸法Ｄは、内箱１ａの奥行き寸法にほぼ合わせて設けられている。また、この棚板１０ｃには段部１０ｃ−１が設けられている。この段部１０ｃ−１は、図５，図６にも示すように、棚板１０ｃの幅寸法Ｗのほぼ半分の寸法分を有するように形成されている。深さは、図７に示すように、隙間Ｐと引き出し棚１８の板厚を合計した分である。従って、通常は１０mm程度で良い。
【００２０】
更に、この段部１０ｃ−１は、図５，図７にも示すように、棚板１０ｃの手前側に傾斜面１０ｃ−２を有している。また、この段部１０ｃ−１が設けられている棚板１０ｃの手前側の先端部は、他の棚板１０ｃ部より前後方向で短くなるように形成されている。１０ｃ−３がその切り欠き部である。
【００２１】
引き出し棚１８は、貯蔵空間１５を構成する側板１６，側板１７に設けられたレール（図示せず）に、引き出し棚１８側のガイド２０が係止することによって、引き出し自在に懸架される。なお、ガイド２０が形成されている引き出し棚１８側の側板１９は、先の貯蔵空間１５を構成する側板１６，１７に、前後方向でほぼ同じ寸法に形成されている。換言すると、引き出し棚１８の手前側には側板１９がなく、冷蔵室２を正面から見た時、広くなるように考慮されている。また、引き出し棚１８の底面１８ａは、先の段部１０ｃ−１との間に隙間Ｐを確保するように取り付けられている。更に、引き出し棚１８の底面１８ａは、棚板１０ｃの段部１０ｃ−１上にあり、底面１８ａの表面Ｈ１が段部でない他の面Ｈ２（図３の如く）と一致している。
【００２２】
２１は、引き出し棚１８の前部に設けた化粧部である。化粧部２１は、棚板化粧部１０ｃ−４と高さ、前後方向で図３に示すように合致している。このことにより、引き出し棚１８側の化粧部２１と、棚板１０ｃ側の棚板化粧部１０ｃ−４は図３にも示す如く、正面から見た時の整合性を確保している。このことは、引き出し棚１８の底面１８ａが、段部１０ｃ−１でない棚板１０ｃ側と同一平面に位置することを意味している。すわなち、図３に示すＨ１とＨ２との関係となる。
【００２３】
２２は、引き出し棚１８の前部に設けられた窪み部である。この窪み部２２は、引き出し棚１８を引き出す際、化粧部２１を手掛用取っ手２３とするために設けられている。窪み部２２の窪み度合いは、隙間Ｐおよび傾斜面１０ｃ−２で吸収できる窪み度合いである。
【００２４】
この引き出し棚１８には、図３にも示す如く缶入りの飲料を載置することがあるので、引き出し棚１８の底面１８ａがたわむことが考えられる。更には、引き出し棚１８を保持しているレールとガイド２０との組み合わせ上、必要以上の隙間（以下ガタと称す）が引き出し棚１８を引き出した時最大となって現れる。このたわみ及びガタを吸収するのが、傾斜面１０ｃ−２の役目でもある。この傾斜面１０ｃ−２があることにより、引き出し棚１８底部が段部１０ｃ−１に摺り、摺動音を出したり、段部１０ｃ−１に擦り傷を付けるということがなくなる。更に、引き出し棚１８は前面（手前側）化粧部２１の高さを低く抑え、食品などの取り出し性が向上する。
【００２５】
また、この貯蔵空間１５の冷却は、引き出し室形成用フレームである側板１６，１７および引き出し棚１８の側板１９を、棚板１０ｃの奥行き寸法より短くしていることを利用する。すなわち、この部分を冷気吸い込み口として、貯蔵空間１５の後方を冷気吹き出し口とすることで、容易に適温に保てる貯蔵空間１５とすることが出来る。また、側板１６，１７に冷気流通用の穴を設けておいても良い。
【００２６】
図６において、２４は、貯蔵空間１１内の貯水タンク１２と、収納ケース１３とを配置する位置とを仕切る仕切部材である仕切り壁である。この仕切り壁２４の上部は、棚板１０ｃの段部１０ｃ−１に設けた取り付けリブ２６に係合して取り付けられている。すなわち、段部１０ｃ−１には、図６の断面で示す取り付けリブ２６が奥行き方向に長く設けられている。すなわち、段部１０ｃ−１のたわみは、この取り付けリブ２６によって抑制される構造である。２５は、棚板１０ｃに設けた取り付け穴である。この取り付け穴２５を利用して、先に説明した側板１６は固定されているものである。
【００２７】
以上説明したように、引き出し棚１８の取っ手を兼ねた化粧部２１と棚板側化粧部１０ｃ−４は整合性が良く、また引き出し棚底面と棚板の面は外見的に同一面に見えるように設置されるものである。
【００２８】
また、引き出し棚１８に手前側に傾斜する傾斜面１０ｃ−２を設け、ガイドレ−ルを摺動させて引き出し棚１８を前方に引き出した時、引き出し棚１８の底部１８ａが、たわみ傾斜面１０ｃ−２に触れないようにしたものであるから、引き出し棚１８に重い食品等を載置して使用した場合でも、引き出し棚１８の底面がたわみ、棚板１０ｃの受け部に接触することのない引き出し棚１８が得られる。
【００２９】
また、段部１０ｃ−１を有する棚板１０ｃの裏面に、貯水タンク，収納ケース等を収納する貯蔵空間１１を形成する仕切り壁２４を固定する取り付けリブ２６を一体に形成したものであるから、取り付けリブ２６が補強リブの役目を果たし、棚板１０ｃの強度を向上し、貯水タンク，収納ケース等を収納する貯蔵室の形成を容易に出来る。このことにより、引き出し棚１８と棚板１０ｃとの変形による接触を回避出来る。
【００３０】
また、棚板１０ｃより前後方向で短く作られたガイド２０に合わせて引き出し棚１８の側板１６，１７を作ると共に、その引き出し棚１８の前方に化粧部２１が手掛用取っ手２３となる窪み部２２を作ったものであるから、引き出し棚１８の出し入れには化粧部２１が手掛用取っ手２３となり、引き出し棚１８の引き出しを容易にすると共に引き出し棚１８の前方が引き出し棚１８内への冷気取り入れ口となり、引き出し棚１８上を効率良く冷却出来るものである。
【００３１】
また、引き出し棚１８の取っ手を兼ねた化粧部２１と棚板側化粧部１０ｃ−４は、整合性が良く、また引き出し棚１８の底面と棚板１０ｃの底面は外見的に同一面に見えるものである。
【００３２】
また、引き出し棚１８に重い食品等を載置して使用した場合でも、引き出し棚１８底面がたわみ、棚板１０ｃの受け部に接触する等ということのない引き出し棚が得られるものである。
【図面の簡単な説明】
【００３３】
【図１】本発明を備えた冷蔵庫の正面図である。
【図２】図１に示す冷蔵庫の冷蔵室扉を開いた冷蔵庫の正面図である。
【図３】図２に示す冷蔵庫の要部拡大斜視図である。
【図４】図３の引き出し棚上の収納物を取り除いた状態で引き出し棚を引き出した図である。
【図５】図２に示す棚板の正面斜視図である。図２に示す冷蔵庫の要部拡大斜視図である。
【図６】図５に示す棚板のＢ−Ｂ断面図である。
【図７】図３のＡ−Ａ断面図である。
【符号の説明】
【００３４】
２ａ  右冷蔵室扉
２ｂ  左冷蔵室扉
６  上ヒンジ
７  下ヒンジ
１０ａ，１０ｂ，１０ｃ  棚板
１０ｃ−１  段部
１０ｃ−２  傾斜面
１０ｃ−３  切り欠き部
１０ｃ−４  棚板化粧部
１１  貯蔵空間
１２  貯水タンク
１３  収納ケース
１８  引き出し棚
２０  ガイド
２１  化粧部
２２  窪み部
２４  仕切り壁
２５  取り付け穴
２６  取り付けリブ
【図１】
2010038497.tif 000003
【図２】
2010038497.tif 000004
【図３】
2010038497.tif 000005
【図４】
2010038497.tif 000006
【図５】
2010038497.tif 000007
【図６】
2010038497.tif 000008
【図７】
2010038497.tif 000009